(57)【要約】      （修正有）【課題】トイレタンクの給水分流装置の提供。【解決手段】トイレタンクの給水分流装置は、トイレタンク外側と水源間に接続され、分水管２０、出水管２１、及び電磁弁セットを具え、そのうち、分水管は大管２０１が小管２０２を被覆してなる管体とされ、その入水端が水源端に接続され、出水端に出水管が接続される。該電磁弁セットは該分水管の小管の入水端に接続される。該出水管もまた大管で小管を被覆してなる管体であり、その入水端が該分水管に接続され、出水端はトイレタンクの給水管に接続される。その特徴は、該分流装置の分水管により、単一水源を分流して複数股の出水としトイレタンクの複数股の水源需要に対応し、並びにトイレタンクの管路配置を単純化することにある。【選択図】図３
0003109747.tif 000002
【実用新案登録請求の範囲】
【請求項１】
分水管と電磁弁セットを具え、
該分水管は大管で小管を被覆した管体とされ、その入水端が水源に接続され、出水端がトイレタンクの給水管に接続され、
該電磁弁セットは該分水管の小管の入水端に接続されたことを特徴とする、トイレタンクの給水分流装置。
【請求項２】
請求項１記載のトイレタンクの給水分流装置において、分水管の小管の入水端が大管の入水端より内縮していることを特徴とする、トイレタンクの給水分流装置。
【請求項３】
請求項２記載のトイレタンクの給水分流装置において、分水管の小管の入水端が大管の入水端に対して垂直に配置されたことを特徴とする、トイレタンクの給水分流装置。
【請求項４】
請求項１記載のトイレタンクの給水分流装置において、トイレタンクの外側に取り付けられたことを特徴とする、トイレタンクの給水分流装置。
【請求項５】
分水管、電磁弁セット、及び出水管を具え、
該分水管は大管で小管を被覆した管体とされ、その入水端が水源に接続され、出水端が出水管に接続され、
該電磁弁セットは該分水管の小管の入水端に接続され、
該出水管は、大管が小管を被覆した管体とされ、その入水端が該分水管に接続され、出水端がトイレタンクの給水管に接続されたことを特徴とする、トイレタンクの給水分流装置。
【請求項６】
請求項５記載のトイレタンクの給水分流装置において、出水管の大管、小管の入水端が分水管の大管、小管の出水端に接続されたことを特徴とする、トイレタンクの給水分流装置。
【請求項７】
請求項５記載のトイレタンクの給水分流装置において、出水管の大管と小管がそれぞれ少なくとも一つの出水端を具えたことを特徴とする、トイレタンクの給水分流装置。
【請求項８】
請求項５記載のトイレタンクの給水分流装置において、分水管及び電磁弁セットがトイレタンクの外側に取り付けられることを特徴とする、トイレタンクの給水分流装置。
【考案の詳細な説明】
【技術分野】
【０００１】
本考案は一種のトイレタンクの給水分流装置に係り、該分流装置は給水源を分流して複数股の出水となし、トイレタンクの多数股の水源の必要に対応し並びに管路レイアウトを簡易化するものである。
【背景技術】
【０００２】
衛生観念の向上と疾病の伝染を防止するため、現在、公共の場所及び一部の家庭の衛生器具に次第に無接触式の光電感応制御が採用されるようになり、センサ式水洗トイレはその一例である。現在存在するセンサ式水洗トイレは、センサを利用して使用者の状態を感知し並びに信号を水洗機構に発射して自動水洗する。この水洗機構の多くは電動モータを利用して出水バルブを引き上げ、出水制御を行なう。水洗機構のほとんどはトイレタンク内部に取り付けられ、長期に湿気にさらされるために故障しやすい。これを鑑み、本考案者は過去に電動モータに代わり水力で水洗バルブを制御する技術を提供している。このような自動水洗装置は安定した操作を行なえる。
【０００３】
本考案者による上述の改良された技術によると、三方向継ぎ手を利用して給水源を二股の水源に分け、更に各股の水源をタンク内に接続している。しかし、伝統的なトイレタンクは僅かに一つの給水孔しかなく、ゆえにこの技術を利用するトイレタンクは別にもう一つの給水孔を開設しなければならない。しかしこの方法は非常に面倒であるかトイレタンクを破壊しやすい。これにより、水源端より三方向継ぎ手で分水後に更にトイレタンク中に接続するため、２本の管路がトイレタンク外側に露出することになり、視覚上、乱雑さを形成する。
【考案の開示】
【考案が解決しようとする課題】
【０００４】
本考案の主要な目的は、水力で出水制御するトイレタンクにあって、トイレタンクと給水源間の乱雑な管路レイアウトの問題を解決することにある。本考案のもう一つの目的は、既存のトイレタンクに余分に孔開けせずに二股の水源を導入できるようにすることにある。
【課題を解決するための手段】
【０００５】
請求項１の考案は、分水管と電磁弁セットを具え、
該分水管は大管で小管を被覆した管体とされ、その入水端が水源に接続され、出水端がトイレタンクの給水管に接続され、
該電磁弁セットは該分水管の小管の入水端に接続されたことを特徴とする、トイレタンクの給水分流装置としている。
請求項２の考案は、請求項１記載のトイレタンクの給水分流装置において、分水管の小管の入水端が大管の入水端より内縮していることを特徴とする、トイレタンクの給水分流装置としている。
請求項３の考案は、請求項２記載のトイレタンクの給水分流装置において、分水管の小管の入水端が大管の入水端に対して垂直に配置されたことを特徴とする、トイレタンクの給水分流装置としている。
請求項４の考案は、請求項１記載のトイレタンクの給水分流装置において、トイレタンクの外側に取り付けられたことを特徴とする、トイレタンクの給水分流装置としている。
請求項５の考案は、分水管、電磁弁セット、及び出水管を具え、
該分水管は大管で小管を被覆した管体とされ、その入水端が水源に接続され、出水端が出水管に接続され、
該電磁弁セットは該分水管の小管の入水端に接続され、
該出水管は、大管が小管を被覆した管体とされ、その入水端が該分水管に接続され、出水端がトイレタンクの給水管に接続されたことを特徴とする、トイレタンクの給水分流装置としている。
請求項６の考案は、請求項５記載のトイレタンクの給水分流装置において、出水管の大管、小管の入水端が分水管の大管、小管の出水端に接続されたことを特徴とする、トイレタンクの給水分流装置としている。
請求項７の考案は、請求項５記載のトイレタンクの給水分流装置において、出水管の大管と小管がそれぞれ少なくとも一つの出水端を具えたことを特徴とする、トイレタンクの給水分流装置としている。
請求項８の考案は、請求項５記載のトイレタンクの給水分流装置において、分水管及び電磁弁セットがトイレタンクの外側に取り付けられることを特徴とする、トイレタンクの給水分流装置としている。
【考案の効果】
【０００６】
本考案は、水力で出水制御するトイレタンクにあって、トイレタンクと給水源間の乱雑な管路レイアウトの問題を解決することにある。本考案のもう一つの目的は、既存のトイレタンクに余分に孔開けせずに二股の水源を導入できるようにしている。
【考案を実施するための最良の形態】
【０００７】
本考案のトイレタンクの給水分流装置は、分水管、出水管、及び電磁弁セットを具え、これらは実施上は一体に組み合わされている。そのうち、分水管は大管が小管を被覆した構造とされ、そのうち大管の入水端は水源に接続され、水導入後に一つの股の水が電磁弁セットを通過して小管の入水端に進入し、更に小管の出水端より出水管に到る。もう一つの股の水は直接出水端より出水管に至る。該出水管もまた大管が小管を被覆した構造とされ、それは少なくとも一つの出水端を具え、且つ該出水端はいずれもトイレタンク内部に設けられている。
【０００８】
本考案は上述の構造を有し、トイレタンク外側に設けられた分水管により、単一水源を二股の水源に分けるが、管線の乱雑さを形成しない。更に、出水管の複数の出水端がトイレタンク内部に設けられ、並びに大管と小管の入水端が整合されてなる単一入水端が同じ構造の分水管の出水端に接続され、これによりただ一つの入水孔を具えた伝統的なトイレタンクに本考案を取り付けて水力制御の水洗トイレとすることができる。
【実施例１】
【０００９】
図１は本考案の分流装置２とトイレタンク１の結合状態図である。そのうち、トイレタンク１は主給水管１１を具えてトイレタンクに注水して水位を補填する。このほか、副給水管１２は落水セット１３に接続され、この副給水管１２が導入する水が発生する上向きに衝撃力を利用し、落水セット１３中のプラグ１４を駆動してプルロッド１５を引き上げ、プルロッド１５末端のワイヤ１６で排水弁１７を引き起し、トイレタンク内の水を便器中に排出する。上述の操作は感応及び信号発射装置３を利用し、トイレの使用の状態に感応してモード信号を分流装置２に発射し、そのうちの電磁弁を起動して水源端４の水を副給水管１２に導入する。主給水管１１の給水はトイレタンクの水位が下降した時に浮子１８により起動される。
【００１０】
本考案の分流装置２の詳細な構造は図２、３に示されるようであり、それは、分水管２０、出水管２１、及び電磁弁セット２２を具え、これらは実施上は一体に組み合わされている。そのうち、分水管２０は図３に示されるように、一体成形され且つ大管が小管を被覆した親子管とされ、そのうち、大管２０１が分水管２０の外径を構成し、且つその一端が分水管２０の入水端２０３とされる。小管２０２は大管２０１内部の一カ所に形成され、その入水端２０４は分水管２０の横向き部位に設けられ、並びにこの部分にあって電磁弁セット２２と結合されている。該大管２０１と小管２０２の出水端は同心とされて分水管２０の出水端２０５を形成し並びにここで出水管２１と接続される。出水管２１は分水管２０と同様に大管２１１と小管２１２を具えた親子管とされ、その大管２１１が分水管２０の大管２０１中に挿入され、その小管２１２が分水管２０の小管２０２中に挿入される。更にＣ形クリップ２３の両側の足２３１を利用して分水管２０の出水端２０５の凹溝２０６が挟持され（図２）、Ｃ形クリップ２３の両側の凸キー２３２が小管２０２の大管２１１外壁の凹口２１３に係合し、Ｃ形クリップ２３自身の弾力が組み合わされて、共同で出水管２１と分水管２０連結固定される。出水管２１の大管２１１は本実施例ではトイレタンク１の主給水管１１に連通する。小管２１２はトイレタンク１の副給水管１２に連通する。ゆえに、該出水管２１は二つの出水端を具え、その一つのナット２１４を具えて主給水管１１に接続され、もう一つは鋸歯テーパ形継ぎ手２１５で副給水管１２に接続される。上述の出水管２１の底端近くにフランジ２１６が形成されて分水管２０との接合前にトイレタンク１底分水管２０の給水孔１９中に挿入されて管体にナット２１７が螺合され、並びに該フランジ２１６とナット２１７により共同でトイレタンク１底部に固定されて出水管２１がトイレタンク中に設置される。これにより、分水管２０は出水管２１に取り付けられてから更にトイレタンク１外部で出水管２１底分水管２０に挿入される。
【００１１】
本考案の実施方式は図１、３に示されるようである。水源端４の水は分水管２０の入水端２０３を通り大管２０１に進入する。そのうち一部の水は大管２０１より出水管２１の大管２１１に進入し主給水管１１に送られる。別の一部の水流は、左向きに出口より電磁弁セット２２中に進入し、電磁弁セット２２の開閉制御により水流が右向きに逆流して分水管２０の小管２０２に至り、更に出水管２１の小管２１２に至り、水が副給水管１２中に注入される。こうして、使用される状態により感応及び信号発射装置３が信号を発射してその信号を分流装置２が受け取った後、電磁弁セット２２が起動されて水源端４の水が副給水管１２に導入され、水の上向きの衝撃力により落水セット１３中のプラグ１４が押動されて上向きにプルロッド１５が引き上げられ、ワイヤ１６により排水弁１７が引き起こされてトイレタンク内の水が便器中に排出される。同時に、トイレタンク内の水位が下降し、浮子１８が落下し並びに主給水管１１の入水が起動されトイレタンク水位が補填される。
【００１２】
本考案の構造はトイレタンク内の前述の主給水管１１、副給水管１２の複数の水源要求に対応し、トイレタンク外と水源端の間の管線レイアウトをこのような複数の用水要求のために複雑化させない。本考案の分水管２０は、前述の実施例では単一水源を分流して２本の水流として送出しているが、それと接続される出水管２１の出水端は上述の実施例に示されるように二つの出水端に限定されるわけではなく、且つ該出水端のレイアウト及び相互関係もこの実施例に限定されるわけではない。
【図面の簡単な説明】
【００１３】
【図１】本考案の分流装置とトイレタンクの結合状態図である。
【図２】本考案の立体分解図である。
【図３】図２の組合せ断面及び実施状態図である。
【符号の説明】
【００１４】
１  トイレタンク                  ２  分流装置
３  感応及び信号発射装置          ４  水源端
１１  主給水管                    １２  副給水管
１３  落水セット                  １４  プラグ
１５  プルロッド                  １６  ワイヤ
１７  排水弁                      １８  浮子
１９  給水孔                      ２０  分水管
２１  出水管                      ２２  電磁弁セット
２３  Ｃ形クリップ
２０１  大管                      ２０２  小管
２０３  入水端                    ２０４  入水端
２０５  出水端                    ２０６  凹溝
２１１  大管                      ２１２  小管
２１３  凹口                      ２１４  ナット
２１５  鋸歯テーパ形継ぎ手        ２１６  フランジ
２１７  ナット
２３１  足                        ２３２  凸キー
【図１】
0003109747.tif 000003
【図２】
0003109747.tif 000004
【図３】
0003109747.tif 000005